【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
人の胸部に圧力および高周波数圧力パルスを加えるための装置であって、
前記人の前記胸部を圧力および高周波数圧力パルスに晒すための、前記人の前記胸部上に配置されるように適合される空気コアを有する服と、
内部の閉鎖空間、空気が前記閉鎖空間に流れ込むことを可能にするための空気入口通路、ならびに空気および空気圧パルスが前記閉鎖空間から出ることを可能にするための空気出口通路とを有する筐体と、
前記空気出口通路から前記服の前記空気コアに空気および空気圧パルスを搬送するための、前記服および筐体に接続されるホース部材と、
前記閉鎖空間に配置される第１の空気ディスプレイサと、
前記閉鎖空間における角運動のために前記第１の空気ディスプレイサを前記筐体上に旋回可能に搭載する第１の旋回部材と、
前記閉鎖空間に配置される第２の空気ディスプレイサと、
前記閉鎖空間における角運動のために前記第２の空気ディスプレイサを前記筐体上に旋回可能に搭載する第２の旋回部材とを備え、
前記第１および第２の空気ディスプレイサは、前記閉鎖空間を第１のチャンバ、第２のチャンバおよび第３のチャンバに分離し、
前記第１および第２のチャンバは、空気が前記第１および第２のチャンバに流れ込むことを可能にするために前記空気入口通路に対して開口しており、
前記第３のチャンバは、前記第１および第２の空気ディスプレイサの間に配置され、空気および空気圧パルスが前記第３のチャンバから、前記服および筐体に接続される前記ホース部材に流れることを可能にするために前記空気出口通路に開口しており、前記装置はさらに、
空気が前記第１および第２のチャンバから前記第３のチャンバに流れることを可能にするとともに空気が前記第３のチャンバから前記第１および第２のチャンバに流れることを防止するよう動作可能である、各第１および第２の空気ディスプレイサ上に搭載される気流制御弁と、
第１および第２の位置の間で前記第１の空気ディスプレイサを角運動するよう動作可能である、前記第１のチャンバに配置されるとともに前記筐体上に回転可能に搭載される第１の動力伝達機構と、
第１および第２の位置の間で前記第２の空気ディスプレイサを角運動するよう動作可能である、前記第２のチャンバに配置されるとともに前記筐体上に回転可能に搭載される第２の動力伝達機構と、
前記第１および第２の動力伝達機構を同時に動作して、前記第１および第２の空気ディスプレイサを、互いに向かうようにおよび互いに離れるように、反対の方向に角運動させ、前記第１および第２のチャンバに空気を引き込み、前記気流制御弁を通じて前記第３のチャンバに空気を送り、前記服の前記空気コアへの移送のために前記第３のチャンバから空気および空気圧パルスを放出するよう、前記第１および第２の動力伝達機構に動作可能に接続される動力伝達アセンブリと、
前記第１および第２の動力伝達機構が、前記第１および第２のディスプレイサを、互いに向かうようにおよび互いから離れるように、反対の方向に角運動させるように、前記動力伝達アセンブリを駆動するためのモータとを備える、装置。
【請求項２】
前記筐体は内壁を含んでおり、
前記第１の空気ディスプレイサは外周縁を有し、
前記第１の空気ディスプレイサの前記外周縁上に搭載される第１のシールが前記筐体の前記内壁に摺動可能に係合可能であり、
前記第２の空気ディスプレイサは外周縁を含んでおり、
前記第２の空気ディスプレイサの前記外周縁上に搭載される第２のシールが前記筐体の前記内壁に摺動可能に係合可能である、請求項１に記載の装置。
【請求項３】
前記第１および第２の空気ディスプレイサの前記外周縁は、外方向に開口する溝を含んでおり、
前記第１および第２のシールは、前記溝に配置されるリブおよび発泡材料を含み、前記発泡材料は、前記リブを付勢して前記筐体の前記内壁に係合させることにより前記第１および第２の空気ディスプレイサと前記筐体の前記内壁との間で空気の流れを抑制する、請求項２に記載の装置。
【請求項４】
前記第１の動力伝達機構は、
前記第１の空気ディスプレイサ上に搭載される第１のアームと、
前記動力伝達アセンブリに駆動可能に接続される第１のクランクシャフトと、
前記アームに係合可能な、前記第１のクランクシャフト上に搭載される第１のローラと、
前記第１のクランクシャフト上に搭載されるとともに前記第１の空気ディスプレイサに係合して配置される第２のローラとを含み、
前記第２の動力伝達機構は、
前記第２の空気ディスプレイサ上に搭載される第２のアームと、
前記筐体上に回転可能に搭載されるとともに前記動力伝達アセンブリに駆動可能に接続される第２のクランクシャフトと、
前記第２のクランクシャフト上に搭載されるとともに前記第２のアームと係合して配置される第３のローラと、
前記第２のクランクシャフト上に搭載されるとともに前記第２の空気ディスプレイサと係合して配置される第４のローラとを含む、請求項１に記載の装置。
【請求項５】
前記第１のアームは対向する端を有しており、
旋回部材が、前記第１の空気ディスプレイサに向かうおよび前記第１の空気ディスプレイサから離れる運動のために、前記第１のアームの一端を前記第１の空気ディスプレイサ上に旋回可能に搭載し、
第１の部材が、前記第１のアームの他端に隣接して前記第１の空気ディスプレイサに固定され、
付勢部材が、前記第１のアームを付勢して前記第１のローラと係合させるよう、前記第１の部材と前記第１のアームの前記他端との間に配置され、
第２のアームは対向する端を有しており、
旋回部材が、前記第２の空気ディスプレイサに向かうおよび前記第２の空気ディスプレイサから離れる運動のために、前記第２のアームの一端を前記第２の空気ディスプレイサ上に旋回可能に搭載し、
第２の部材が、前記第２のアームの他端に隣接して前記第２の空気ディスプレイサに固定され、
付勢部材が、前記第２のアームを付勢して前記第３のローラと係合させるよう前記第２の部材と前記第２のアームの前記他端との間に配置される、請求項４に記載の装置。
【請求項６】
各付勢部材は、ばねを含む、請求項５に記載の装置。
【請求項７】
角運動する前記第１および第２の空気ディスプレイサによって生成される前記空気圧を調整するために前記第１および第２のチャンバへの前記空気の流れおよび前記第１および第２のチャンバからの前記空気の流れを制限するよう動作可能な気流制限装置を備える、請求項１に記載の装置。
【請求項８】
前記気流制限装置は、
前記第１および第２のチャンバへの前記空気の流れを調整するよう動作可能な第１の部材と、
前記第１および第２のチャンバへの前記空気の流れを変化させるよう前記第１の部材の位置を調節することにより、前記筐体から前記服の前記空気コアに放出される前記空気パルスの前記空気圧を調節する第２の部材とを含む、請求項７に記載の装置。
【請求項９】
前記第１および第２のディスプレイサは各々、
一体の剛性部材を含み、前記一体の剛性部材は、
外端と、内端と、前記ボディの前記外端に結合される凸状の外端セクションとを有する概して平坦なボディと、
前記ボディの前記内端に結合されるリッジとを有し、前記リッジは対向する端を有し、
さらに、
前記リッジの前記対向する端に結合されるとともに前記リッジの前記対向する端から外方向に延在する円筒状の旋回部材を備える前記第１及び第２の旋回部材を有する、請求項１に記載の装置。
【請求項１０】
前記ボディ、凸状の外端およびリッジは、
外周溝と、
前記溝に配置される少なくとも１つのシールとを含む、請求項９に記載の装置。
【請求項１１】
前記シールは、前記溝に配置される周囲リブおよび発泡材料を含んでおり、
前記発泡材料は前記リブを付勢して前記筐体と係合させる、請求項１０に記載の装置。
【請求項１２】
前記リッジは、前記リッジの前記対向する端に隣接して配置される突起を含んでおり、
前記旋回部材は前記突起に結合されている、請求項９に記載の装置。